(57)【要約】【課題】揺動に関係なく所定の力がかかるように押圧動作を制御し、使用者それぞれに適した押圧動作を与え、疲労軽減をより向上させる揺動装置を提供することである。【解決手段】使用者の身体を支持する身体支持手段（身体支持部材１３）と、この身体支持手段を前後方向に揺動動作させる揺動駆動手段（揺動駆動装置１２）と、この揺動駆動手段の揺動動作を制御する揺動制御部１と、使用者を押圧するマッサージ手段（エアバッグ４０乃至４８）と、を有した揺動装置１０であって、マッサージ手段は、押圧動作を制御する力制御部２を備え、力制御部２は、押圧動作を揺動動作の周期Ｔに同期させない制御を行う。【選択図】図２
2011194150.tif 000002
【特許請求の範囲】
【請求項１】
使用者の身体を支持する身体支持手段と、この身体支持手段を前後方向に揺動動作させる揺動駆動手段と、この揺動駆動手段の前記揺動動作を制御する揺動制御部と、前記使用者を押圧するマッサージ手段と、を有した揺動装置であって、
前記マッサージ手段は、押圧動作を制御する力制御部を備え、
前記力制御部は、前記押圧動作を前記揺動動作の周期Ｔに同期させない制御を行うことを特徴とする揺動装置。
【請求項２】
前記力制御部は、前記押圧動作の力を一定にする制御を行うことを特徴とする請求項１に記載の揺動装置。
【請求項３】
前記力制御部は、前記押圧動作の力が増加する制御と、減少する制御と、を順次行うことを特徴とする請求項１に記載の揺動装置。
【請求項４】
前記力制御部は、前記押圧動作の力を所定の割合で増加する制御を行うことを特徴とする請求項１に記載の揺動装置。
【請求項５】
前記力制御部は、前記押圧動作の力を所定の割合で減少する制御を行うことを特徴とする請求項１に記載の揺動装置。
【請求項６】
前記マッサージ手段は、マッサージを行う位置を変更する位置制御部を備えることを特徴とする請求項１乃至５のいずれか一項に記載の揺動装置。
【発明の詳細な説明】
【技術分野】
【０００１】
本発明は、人体に揺動を与え、その揺動中に押圧動作のマッサージを行う揺動装置に関するものである。
【背景技術】
【０００２】
従来、人体に対して揺れ振動を与えるリラックス装置が知られている（特許文献１）。このリラックス装置は、揺れ振動を加えることで、使用者をリラックス状態あるいは睡眠状態に導くことができる。
【先行技術文献】
【特許文献】
【０００３】
【特許文献１】特開平１１−１３７６２６号公報
【発明の概要】
【発明が解決しようとする課題】
【０００４】
しかし、揺動中にマッサージを行うと、対の施療子には力の制御がなく、揺動の影響を受けて施療子への体重負荷が変化するため、所定の押圧力を与えることができず、使用者それぞれに適した押圧動作を与えるには不十分であった。
【０００５】
本発明は、上記背景技術に鑑みて発明されたのもので、その課題は、揺動に関係なく所定の押圧力がかかるように押圧動作を制御し、使用者それぞれに適した押圧動作を与え、疲労軽減をより向上させる揺動装置を提供することである。
【課題を解決するための手段】
【０００６】
上記課題を解決するために本発明の揺動装置では、使用者の身体を支持する身体支持手段と、この身体支持手段を前後方向に揺動動作させる揺動駆動手段と、この揺動駆動手段の前記揺動動作を制御する揺動制御部と、前記使用者を押圧するマッサージ手段と、を有した揺動装置であって、前記マッサージ手段は、前記押圧動作を制御する力制御部を備え、前記力制御部は、前記押圧動作を前記揺動動作の周期Ｔに同期させない制御を行うことを特徴とする。
【０００７】
また、この揺動装置において、前記力制御部は、前記押圧動作の力を一定にする制御を行うことが好ましい。
【０００８】
また、この揺動装置において、前記力制御部は、前記押圧動作の力が増加する制御と、減少する制御と、を順次行うことが好ましい。
【０００９】
また、この揺動装置において、前記力制御部は、前記押圧動作の力を所定の割合で増加する制御を行うことが好ましい。
【００１０】
また、この揺動装置において、前記力制御部は、前記押圧動作の力を所定の割合で減少する制御を行うことが好ましい。
【００１１】
また、この揺動装置において、前記マッサージ手段は、マッサージを行う位置を変更する位置制御部を備えることが好ましい。
【発明の効果】
【００１２】
本発明の揺動装置において、前記マッサージ手段は、押圧動作を制御する力制御部を備え、前記力制御部は、前記押圧動作を前記揺動動作の周期Ｔに同期させない制御を行う。これより、揺動動作の周期によらず、押圧動作を行うことができるため、使用者がより一層の疲労軽減を感じやすくなる。
【図面の簡単な説明】
【００１３】
【図１】本発明の一実施形態を示す概略構成図である。
【図２】同実施形態を示す（ａ）揺動装置のブロック図、（ｂ）身体支持部材の斜視図、である。
【図３】揺動動作の周期及び使用者が感じる押圧動作の力の周期を示す図である。
【図４】本発明の他の実施形態を示す概略構成図である。
【発明を実施するための形態】
【００１４】
図１及び２は、本発明の一実施形態である揺動装置１０を示している。この揺動装置１０は、使用者の身体を支持する身体支持手段（身体支持部材１３）と、この身体支持手段を前後方向に揺動動作させる揺動駆動手段（揺動駆動装置１２）と、この揺動駆動手段の揺動動作を制御する揺動制御部１と、使用者を押圧するマッサージ手段（エアバッグ４０乃至４８）と、を有している。マッサージ手段は、押圧動作を制御する力制御部２を備え、力制御部２は、押圧動作を揺動動作の周期Ｔに同期させない制御を行う。力制御部２は、押圧動作の力を一定にする制御を行う。また、力制御部２は、押圧動作の力が増加する制御と、減少する制御と、を順次行う。そして、力制御部２は、押圧動作の力を所定の割合で増加する制御を行う。また、力制御部２は、押圧動作の力を所定の割合で減少する制御を行う。そして、マッサージ手段は、マッサージを行う位置を変更する位置制御部３を備える。
【００１５】
以下、本実施形態を図面に従って説明する。
【００１６】
図１は、本実施形態の揺動装置１０の概略構成図を示す。図１に示すように、揺動装置１０は、その基台１１の底部１１aが図示しない床面に載置されるとともに、基台１１に設けられた揺動駆動手段としての揺動駆動装置１２と、その揺動駆動装置１２により揺動される身体支持手段としての身体支持部材１３と、押圧動作を制御する力制御部２（図２参照）と、マッサージ手段となるエアバッグ４０乃至４８と、を備えている。
【００１７】
揺動駆動装置１２は、モータ２０と、減速機２１と、クランク機構２２と、リンク部材２３と、から構成されている。
【００１８】
モータ２０は、基台１１の底部１１a上面に設けられるとともに、前記底部１１a上面に設けられる揺動制御部１及び力制御部２及び位置制御部３を含むコントローラ２４によりその駆動が制御されている。減速機２１は、基台１１の底部１１a上面に設けられるとともに、モータ２０と駆動連結され、モータ２０の駆動力を減速出力するものである。
【００１９】
揺動制御部１は、身体支持部材１３の往復方向の揺動動作の周期を制御するものである。
【００２０】
力制御部２は、マッサージ手段による押圧動作の力と、押圧動作の押し出し量と、を制御するものである。
【００２１】
位置制御部３は、使用者の特定部位をマッサージするために、その特定部位のマッサージ手段となるエアバッグ４０乃至４８を制御するものである。
【００２２】
クランク機構２２は、２つの接続部材２２ａ，２２ｂから構成されるとともに、減速機２１の回転駆動を半径の極めて大きな円弧運動に変換するものである。接続部材２２ａは、その基端が減速機２１の出力軸と一体回転可能に接続されるとともに、その先端が接続部材２２ｂの基端と回転可能に接続されている。接続部材２２ｂの先端は、身体支持部材１３が固定される四角枠状のベース部２５の下部と接続されている。
【００２３】
基台１１には、その底部１１ａから上方向に突設される支持枠１１ｂが備えられている。２つのリンク部材２３はそれらの基端が各支持枠１１ｂ上部に所定間隔を有して回転可能に連結されるとともに、各先端がベース部２５の下部と回転可能に連結されている。つまり、この２本のリンク部材２３は、基端を中心として回動するようになっており、クランク機構２２からの駆動力を基に、ベース部２５に固定される身体支持部材１３をロッキングチェア等のように前後方向に揺動させている。なお、本実施形態では、身体支持部材１３が後方から前方へ移動する際の経路を往路とし、前方から後方へ移動する際の経路を復路としている。
【００２４】
ベース部２５の上部には、椅子型の身体支持部材１３を構成する座部３０がベース部２５と一体移動可能に固定されている。座部３０の後部に傾動可能に固定された背もたれ部３１と、座部３０の前部に固定されたオットマン３２と、座部３０の左右両側に固定された肘掛け部３３とが設けられている。
【００２５】
背もたれ部３１は、図２に示すように、背もたれ部３１を傾動させるリクライニング機構３４がコントローラ２４により制御され、背もたれ部３１を適宜傾動させるようになっている。
【００２６】
背もたれ部３１には、上段両側に左右一対のエアバッグ４０，４１が使用者の左右肩部に対応して内装されている。また、中段に背中用エアバッグとしてのエアバッグ４２，４３，４４が使用者の背部（背中上段、背中中段及び背中下段）に対応して内装されている。そして、下段両側にエアバッグ４５，４６が使用者の左右腰部に対応して内装されている。座部３０左右には、２つのエアバッグ４７，４８が使用者の臀部及び大腿部に対応して内装されている。使用者の各部位に対応して設けられたエアバッグ４０乃至４８は、図示しない接続ホースを介し、座部３０の下部に設けられたエアポンプ４９に向けて取り回されている。エアポンプ４９（図２参照）は、コントローラ２４によりその駆動が制御され、各エアバッグ４０乃至４８の膨縮動作が可能となっている。この膨縮動作は、揺動装置１０の揺動動作一周期に対応せず、複数回行っている。
【００２７】
なお、揺動装置１０は、使用者に対して与える押圧動作の力を検出するための力センサ（図示せず）をマッサージ手段に備え、力センサで検出した力と与える力の目標値との偏差に基づいて、力制御を行ってよい。また、力センサを備えるのではなく、予め計測しておいた揺動の周期に応じて変化する体重負荷のデータから力制御値のプロファイルを作成し、使用者が体重を入力することで力制御を行ってもよい。また、この力センサで検知した力に応じ、力制御部２が押圧動作の力と、マッサージ手段による押圧動作の押し出し量と、を決定する。
【００２８】
次に、上記の様に構成された揺動装置１０の揺動動作及び押圧動作の力について図３の（ａ）乃至（ｆ）を用いて説明する。なお、図３の（ｂ）乃至（ｆ）において、細かい周期の波形は、エアバッグ４０乃至４８の膨縮動作による各押圧動作を示す。使用者の背中にかかる、この各押圧動作の力（図３のＡ点にかかる力）の軌跡による包絡線の波形を押圧動作の力の波形とし、以下で説明する。
【００２９】
図３の（ａ）に示す波形は、揺動装置１０の揺動動作を示し、身体支持部材１３の位置の時間変化を示す。
【００３０】
図３の（ｂ）に示す各押圧動作の波形及び押圧動作の力の波形は、従来例を示しており、揺動装置１０に力制御部２がないものを示す。
【００３１】
図３の（ｃ）に示す波形において力制御部２は、使用者に与える押圧動作の力を一定にし、所定の時間経過後、押圧動作の力を増加し、その増加した力で一定にする。続いて、力制御部２は、所定の時間経過後、押圧動作の力を減少させ、元々かけていた押圧動作の力に戻し、その減少した力で一定にする制御を行う。なお、力制御は、先に押圧動作の力を減少し、元の力に戻すという順番であってもよい。
【００３２】
図３の（ｄ）に示す波形において力制御部２は、揺動動作の周期によらず、使用者に与える押圧動作の力を一定にする制御を行う。
【００３３】
図３の（ｅ）に示す波形において力制御部２は、使用者に与える押圧動作の力を揺らぎなく一定に、所定の割合で増加させる制御を行う。
【００３４】
図３の（ｆ）に示す波形の力制御部２は、使用者に与える押圧動作の力を揺らぎなく一定に、所定の割合で減少させる制御を行う。
【００３５】
なお、これら図３の（ｃ）乃至（ｆ）に示す力制御は、使用者の好みによって切り替えることができる。
【００３６】
したがって、本実施形態の揺動装置１０において、マッサージ手段は、押圧動作を制御する力制御部２を備え、力制御部２は、押圧動作を揺動動作の周期Ｔに同期させない制御を行う。これより、揺動動作の周期によらず、押圧動作を行うことができるため、使用者がより一層の疲労軽減を感じやすくなる。
【００３７】
また、本実施形態の揺動装置１０において、力制御部２は、押圧動作の力を一定にする制御を行うことができる。これより、使用者に対して揺らぎのない押圧動作のマッサージを行うことができ、身体のリフレッシュ感をより向上させる。
【００３８】
また、本実施形態の揺動装置１０において、力制御部２は、押圧動作の力が増加する制御と減少する制御とを順次行うことができる。これより、限られた力の増減幅の中で、使用者が押圧動作の力の増加、減少を感じやすくなる。
【００３９】
また、本実施形態の揺動装置１０において、力制御部２は、押圧動作の力を所定の割合で増加する制御を行うことができる。これより、使用者が覚醒状態に導かれるようなリフレッシュ感を得やすくなる。
【００４０】
また、本実施形態の揺動装置１０において、力制御部２は、押圧動作の力を所定の割合で減少する制御を行うことができる。これより、使用者が睡眠状態に導かれるようなリラックス感を得やすくなる。
【００４１】
また、図３の（ｃ）乃至（ｆ）において、力制御部２は、揺動動作の四周期を一タームとして、数回行う制御してもよいが、任意の波形を一タームずつ組み合わせた制御を行ってもよい。一タームは揺動動作の四周期に限定せず、一周期、二周期等でもよい。
【００４２】
また、本実施形態では、細かい周期の波形は、エアバッグ４０乃至４８の膨縮動作による各押圧動作を示す。この各押圧動作の力の軌跡による包絡線の波形を押圧動作の力の波形としているが、エアバッグの膨縮動作がこの包絡線の波形に従うように、押圧し続けるマッサージを行ってもよい。
【００４３】
また、上記実施形態では、特に言及していないが、揺動装置１０は、使用者に装着し、脈拍を検知する脈拍センサを備え、その脈拍センサから得た情報を元に、脈拍数が減少するに応じ、押圧動作の力を徐々に弱める制御を行ってもよい。
【００４４】
また、本実施形態においては、マッサージ手段は、エアバッグ４０乃至４８を用いているが、図４に示すように、エアバッグの代わりにモミ玉５０を用いてもよい。なお、この場合、力制御部２は、モミ玉５０の押圧動作の力、押圧動作の押し出し量を制御し、位置制御部３は、背もたれ３１の背面側に設けたレール５１に沿ってモミ玉５０を上下に動かす制御を行う。
【符号の説明】
【００４５】
１  揺同制御部
２  力制御部
３  位置制御部
１０  揺動装置
１１  基台
１２  揺動駆動装置（揺動駆動手段）
１３  身体支持部材（身体支持手段）
２０  モータ
２１  減速機
２２  クランク機構
２３  リンク部材
２４  コントローラ
２５  ベース部
３０  座面
３１  背もたれ部
３２  オットマン
３３  肘掛け部
３４  リクライニング機構
４０〜４８  エアバッグ（マッサージ手段）
４９  エアポンプ
５０  モミ球
５１  レール
【図１】
2011194150.tif 000003
【図２】
2011194150.tif 000004
【図３】
2011194150.tif 000005
【図４】
2011194150.tif 000006